(57)【要約】【課題】収納処理の際に複数のカセットへの紙幣の搬送を効率的に行うことが可能な現金処理装置を提供する。【解決手段】第１紙幣と第２紙幣を一時的に集積する一時集積部と、前記第１紙幣を設定枚数収納する第１カセットと、前記第２紙幣を設定枚数収納する第２カセットと、前記一時集積部に集積された前記第１紙幣と前記第２紙幣を、前記第１カセットと前記第２カセットへ搬送する搬送部と、前記一時集積部に集積された前記第１紙幣の枚数を判定する枚数判定部と、前記第１カセットにおける前記第１紙幣の収納状態を判定する収納判定部と、前記一時集積部に集積された前記第１紙幣の枚数が、前記第１カセットが収納可能な枚数以下である場合には、前記第１紙幣が搬送されて前記第１カセットが前記第１紙幣を設定枚数だけ収納しても、前記第２紙幣の前記第２カセットへの搬送を継続させる搬送制御部と、を備える、現金処理装置。【選択図】図４
2014235458.tif 000002
【特許請求の範囲】
【請求項１】
第１紙幣と第２紙幣を一時的に集積する一時集積部と、
前記第１紙幣を設定枚数収納する第１カセットと、
前記第２紙幣を設定枚数収納する第２カセットと、
前記一時集積部に集積された前記第１紙幣と前記第２紙幣を、前記第１カセットと前記第２カセットへ搬送する搬送部と、
前記一時集積部に集積された前記第１紙幣の枚数を判定する枚数判定部と、
前記第１カセットにおける前記第１紙幣の収納状態を判定する収納判定部と、
前記一時集積部に集積された前記第１紙幣の枚数が、前記第１カセットが収納可能な枚数以下である場合には、前記第１紙幣が搬送されて前記第１カセットが前記第１紙幣を設定枚数だけ収納しても、前記第２紙幣の前記第２カセットへの搬送を継続させる搬送制御部と、
を備える、現金処理装置。
【請求項２】
請求項１に記載の現金処理装置において、
前記一時集積部に集積される紙幣を鑑別する紙幣鑑別部を更に備え、
前記第１紙幣は、前記紙幣鑑別部によりリジェクト紙幣と鑑別された紙幣である、現金処理装置。
【請求項３】
請求項１又は２に記載の現金処理装置において、
紙幣が投入される入金部を更に備え、
前記一時集積部は、前記入金部から搬送された第１紙幣と第２紙幣を集積し、
前記搬送制御部は、入金紙幣の収納処理として、前記一時集積部に集積された前記第１紙幣と前記第２紙幣を、前記第１カセットと前記第２カセットへ搬送させる、現金処理装置。
【請求項４】
請求項１〜３のいずれか１項に記載の現金処理装置において、
前記収納判定部は、判定した収納状態に基づいて、前記第１カセットが収納可能な前記第１紙幣の残枚数を判定し、
前記搬送制御部は、
前記一時集積部に集積された前記第１紙幣の枚数と、前記第１カセットが収納可能な前記第１紙幣の残枚数との和が、前記第１カセットが収納可能な設定枚数以下である場合には、前記第１紙幣が搬送されて前記第１カセットが前記第１紙幣を設定枚数だけ収納しても、前記第２紙幣の前記第２カセットへの搬送を継続させる、現金処理装置。
【請求項５】
請求項１〜４のいずれか１項に記載の現金処理装置において、
前記搬送制御部は、
前記一時集積部に集積された前記第１紙幣の枚数が、前記第１カセットが収納可能な枚数を超える場合には、前記第１紙幣が搬送されて前記第１カセットが前記第１紙幣を設定枚数だけ収納すると、前記第１紙幣と前記第２紙幣の搬送を停止させる、現金処理装置。
【請求項６】
請求項１〜４のいずれか１項に記載の現金処理装置において、
前記搬送制御部は、
前記一時集積部に集積された前記第１紙幣の枚数が、前記第１カセットが収納可能な枚数を超えても、前記第１カセットが物理的に収納可能な最大収納枚数以下である場合には、前記第１カセットが前記一時集積部の前記第１紙幣を全て収納しても、前記第２紙幣の前記第２カセットへの搬送を継続させる、現金処理装置。
【請求項７】
請求項６に記載の現金処理装置において、
前記搬送制御部は、
前記一時集積部に集積された前記第１紙幣の枚数が、前記第１カセットが物理的に収納可能な最大収納枚数を超える場合には、前記第１紙幣が搬送されて前記第１カセットが前記第１紙幣を前記最大収納枚数だけ収納すると、前記第１紙幣と前記第２紙幣の搬送を停止させる、現金処理装置。
【請求項８】
請求項５又は７に記載の現金処理装置において、
前記搬送制御部は、
前記第１紙幣と前記第２紙幣の搬送停止後に、前記第１紙幣を設定枚数又は最大収納枚数だけ収納する前記第１カセットから前記第１紙幣が抜き取られた場合には、前記第１紙幣と前記第２紙幣の搬送を再開させる、現金処理装置。
【発明の詳細な説明】
【技術分野】
【０００１】
本発明は、現金処理装置に関し、より詳細には、一時集積部に集積された紙幣をカセットに搬送させて収納する現金処理装置に関する。
【背景技術】
【０００２】
金融機関の営業店カウンタ等に、窓口用現金処理機に代表される現金処理装置が設置されている。現金処理装置は、紙幣や硬貨の入金取引や出金取引等に利用される。職員は、例えば、現金処理装置の操作部、又は現金処理装置に接続された受付端末から操作を行うことにより、入金取引や出金取引を行うことができる。
【０００３】
下記の特許文献１には、入金時に紙幣を一時保留部に集積した後に、金種別の紙幣収納庫（カセット）に搬送して収納する自動取引装置が開示されている。
【先行技術文献】
【特許文献】
【０００４】
【特許文献１】特開平１１−８６０９２号公報
【発明の概要】
【発明が解決しようとする課題】
【０００５】
ところで、一時集積部に集積された紙幣を複数のカセットに搬送して収納する収納処理を行う際に、一のカセットに収納された紙幣の枚数が設定枚数に達すると、他のカセットが紙幣を更に収納できる状態であっても、収納処理が強制的に停止される。かかる場合に、収納処理を再開させるためには、一のカセットを交換等して設定枚数に達した紙幣を抜き取る必要があった。
【０００６】
そこで、本発明は、上記問題に鑑みてなされたものであり、本発明の目的とするところは、収納処理の際に複数のカセットへの紙幣の搬送を効率的に行うことが可能な、新規かつ改良された現金処理装置を提供することにある。
【課題を解決するための手段】
【０００７】
上記課題を解決するために、本発明のある観点によれば、第１紙幣と第２紙幣を一時的に集積する一時集積部と、前記第１紙幣を設定枚数収納する第１カセットと、前記第２紙幣を設定枚数収納する第２カセットと、前記一時集積部に集積された前記第１紙幣と前記第２紙幣を、前記第１カセットと前記第２カセットへ搬送する搬送部と、前記一時集積部に集積された前記第１紙幣の枚数を判定する枚数判定部と、前記第１カセットにおける前記第１紙幣の収納状態を判定する収納判定部と、前記一時集積部に集積された前記第１紙幣の枚数が、前記第１カセットが収納可能な枚数以下である場合には、前記第１紙幣が搬送されて前記第１カセットが前記第１紙幣を設定枚数だけ収納しても、前記第２紙幣の前記第２カセットへの搬送を継続させる搬送制御部と、を備える、現金処理装置が提供される。
【０００８】
かかる現金処理装置によれば、一時集積部に集積された第１紙幣の枚数が第１カセットが収納可能な枚数以下である場合には、第１紙幣が搬送されて第１カセットが第１紙幣を設定枚数だけ収納しても、第２紙幣の第２カセットへの搬送を継続させる。かかる場合には、第１カセットに収納された紙幣の枚数が設定枚数に達しても、その後の紙幣の搬送が停止されないため、第２カセットが第２紙幣を更に収納できる。この結果、第１カセット及び第２カセットへの紙幣の搬送を効率的に行うことが可能となる。
【０００９】
また、上記の現金処理装置において、前記一時集積部に集積される紙幣を鑑別する紙幣鑑別部を更に備え、前記第１紙幣は、前記紙幣鑑別部によりリジェクト紙幣と鑑別された紙幣であることとしても良い。
【００１０】
また、上記の現金処理装置において、紙幣が投入される入金部を更に備え、前記一時集積部は、前記入金部から搬送された第１紙幣と第２紙幣を集積し、前記搬送制御部は、入金紙幣の収納処理として、前記一時集積部に集積された前記第１紙幣と前記第２紙幣を、前記第１カセットと前記第２カセットへ搬送させることとしても良い。
【００１１】
また、上記の現金処理装置において、前記収納判定部は、判定した収納状態に基づいて、前記第１カセットが収納可能な前記第１紙幣の残枚数を判定し、前記搬送制御部は、前記一時集積部に集積された前記第１紙幣の枚数と、前記第１カセットが収納可能な前記第１紙幣の残枚数との和が、前記第１カセットが収納可能な設定枚数以下である場合には、前記第１紙幣が搬送されて前記第１カセットが前記第１紙幣を設定枚数だけ収納しても、前記第２紙幣の前記第２カセットへの搬送を継続させることとしても良い。
【００１２】
また、上記の現金処理装置において、前記搬送制御部は、前記一時集積部に集積された前記第１紙幣の枚数が、前記第１カセットが収納可能な枚数を超える場合には、前記第１紙幣が搬送されて前記第１カセットが前記第１紙幣を設定枚数だけ収納すると、前記第１紙幣と前記第２紙幣の搬送を停止させることとしても良い。
【００１３】
また、上記の現金処理装置において、前記搬送制御部は、前記一時集積部に集積された前記第１紙幣の枚数が、前記第１カセットが収納可能な枚数を超えても、前記第１カセットが物理的に収納可能な最大収納枚数以下である場合には、前記第１カセットが前記一時集積部の前記第１紙幣を全て収納しても、前記第２紙幣の前記第２カセットへの搬送を継続させることとしても良い。
【００１４】
また、上記の現金処理装置において、前記搬送制御部は、前記一時集積部に集積された前記第１紙幣の枚数が、前記第１カセットが物理的に収納可能な最大収納枚数を超える場合には、前記第１紙幣が搬送されて前記第１カセットが前記第１紙幣を前記最大収納枚数だけ収納すると、前記第１紙幣と前記第２紙幣の搬送を停止させることとしても良い。
【００１５】
また、上記の現金処理装置において、前記搬送制御部は、前記第１紙幣と前記第２紙幣の搬送停止後に、前記第１紙幣を設定枚数又は最大収納枚数だけ収納する前記第１カセットから前記第１紙幣が抜き取られた場合には、前記第１紙幣と前記第２紙幣の搬送を再開させることとしても良い。
【発明の効果】
【００１６】
以上説明したように本発明によれば、収納処理の際に複数のカセットへの紙幣の搬送を効率的に行うことが可能となる。
【図面の簡単な説明】
【００１７】
【図１】本発明の第１の実施形態に係る紙幣処理装置１０の内部構成例を示す図である。
【図２】第１の実施形態に係る紙幣処理装置１０の機能構成例を説明するためのブロック図である。
【図３】第１の実施形態に係る紙幣処理装置１０の動作例を示すフローチャートである。
【図４】第１の実施形態に係る収納処理時における紙幣の搬送制御例を示すフローチャートである。
【図５】比較例に係る収納処理時における紙幣の搬送制御例を示すフローチャートである。
【図６】第２の実施形態に係る収納専用カセット３５に設けられた紙幣検知センサーの構成例を示す模式図である。
【図７】第２の実施形態に係る収納処理時における紙幣の搬送制御例を示すフローチャートである。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜１．第１の実施形態＞
（１−１．紙幣処理装置の内部構成例）
図１を参照しながら、本発明の第１の実施形態に係る紙幣処理装置１０の内部構成例について説明する。
【００２０】
図１は、第１の実施形態に係る紙幣処理装置１０の内部構成例を示す図である。紙幣処理装置１０は、金融機関の営業店等に設置されている。紙幣処置装置１０は、装置の操作者である金融機関の受付窓口員等の職員による操作に基づいて、紙幣の取引を行う職員操作型端末である。
【００２１】
紙幣処理装置１０は、図１に示すように、入金部の一例である入金口１２と、第１出金口１４と、第２出金口１５と、紙幣鑑別部の一例である紙幣認識部２０と、一時集積部の一例である一時保留部２２と、搬送部２４と、紙幣カセット３０Ａ〜３０Ｅと、収納専用カセット３５と、表示部４０とを有する。なお、第１の実施形態では、収納専用カセット３５が第１カセットに相当し、紙幣カセット３０Ａ〜３０Ｅが第２カセットに相当する。
【００２２】
入金口１２は、職員が紙幣を投入する投入口である。入金口１２には、開口部を開閉するシャッタ（不図示）を設けるようにしてもよい。また、入金口１２は、束で投入された紙幣を一枚ずつ分離して繰り出す分離機能を有する。
【００２３】
第１出金口１４及び第２出金口１５は、職員が受け取る紙幣が排出（出金）される排出口である。第１出金口１４及び第２出金口１５には、開口部を開閉するシャッタ（不図示）を設けるようにしてもよい。また、第１出金口１４及び第２出金口１５は、排出する紙幣を集積する集積機能を有する。第１出金口１４及び第２出金口１５は、一例として、紙幣を１００枚（最大集積枚数）集積できる容量を有する。なお、図１に示す例では、出金口が２つ設けられているが、これに限定されず、例えば出金口が１つ又は３つ以上であってもよい。
【００２４】
紙幣認識部２０は、１枚ずつ通過していく紙幣の鑑別を行う。紙幣の進行方向は双方向に対応しており、紙幣認識部２０は、入金口１２側の方向から搬送される紙幣、およびその逆方向から搬送される紙幣の鑑別を行うことができる。例えば、紙幣認識部２０は、一時保留部２２に搬送されて集積される紙幣の金種、真偽（真券／偽券）、正損（正券／損券）および走行状態（正常／異常）などを鑑別し、通過する紙幣に対して、正常判定またはリジェクト判定を行う。なお、紙幣認識部２０による判定結果は、記憶部８０（図２）に記憶される。
【００２５】
ここで、本明細書において真券とは紙幣と鑑別されたものをいい、偽券とは紙幣と鑑別されなかったものをいう。また、正券とは真券と鑑別された紙幣のうち入金／出金に適すると鑑別されたものをいい、損券とは真券と鑑別された紙幣のうち入金／出金に適さないと鑑別されたものをいう。また、リジェクト判定は、偽券、損券（汚損、損壊、外形異常等）、走行異常（スキュー紙幣、重走等）といった要因に基づいて行われる。また、リジェクト紙幣には、出金紙幣として取り扱えない紙幣（例えば二千円札や五千円札）を含んでもよいし、外国紙幣を含んでもよい。
【００２６】
一時保留部２２は、紙幣の分離と集積の両方の機能を有する。例えば、一時保留部２２は、入金口１２から繰り出された後に紙幣認識部２０により鑑別された紙幣（リジェクト紙幣と正常紙幣）を、一時的に集積する。一時保留部２２に集積された紙幣は、入金した紙幣の口座計上などが確定したなど、取引が成立した場合に繰り出され、紙幣カセット３０Ａ〜３０Ｅなどに搬送される。なお、一時保留部２２は、紙幣を順次重ねて集積する集積式であってもよいし、紙幣を順次巻いて収納するドラム式であってもよい。
【００２７】
搬送部２４は、搬送路、紙幣を搬送する搬送ローラ、および搬送ローラを駆動する駆動機構を含み、紙幣を一枚ずつ搬送する。駆動機構は、例えばＤＣサーボモータまたはパルスモータなどが回転することにより、搬送ローラを駆動する。例えば、搬送部２４は、入金口１２に投入された紙幣を一時保留部２２に搬送する。また、搬送部２４は、一時保留部２２に集積されたリジェクト紙幣を収納専用カセット３５に搬送し、一時保留部２２に集積された正常紙幣を紙幣カセット３０Ａ〜３０Ｅに搬送する。
【００２８】
紙幣カセット３０Ａ〜３０Ｅは、それぞれ紙幣を金種毎に予め設定された設定枚数だけ収納可能な紙幣収納部であって、紙幣の集積および分離の両方の機能を有する。また、紙幣カセット３０Ａ〜３０Ｅは、同一金種のための複数の紙幣カセットを含んでもよい。例えば、紙幣カセット３０Ａおよび３０Ｃが一万円札用の紙幣カセットであり、紙幣カセット３０Ｂおよび３０Ｄが千円札用の紙幣カセットであってもよい。また、紙幣カセット３０Ａ〜３０Ｅは、紙幣処理装置１０に対して着脱可能な構造になっており、個別に交換することで紙幣カセット３０Ａ〜３０Ｅに紙幣を装填することも可能である。
【００２９】
収納専用カセット３５は、例えば紙幣認識部２０によって異常と鑑別（リジェクト判定）された紙幣（リジェクト紙幣）を予め設定された設定枚数だけ収納する紙幣収納部である。収納専用カセット３５は、リジェクト紙幣の他に、正常紙幣、外国紙幣、偽造券等の様々な区別をされた紙幣も収納可能である。収納専用カセット３５は、紙幣カセット３０Ａ〜３０Ｅとは異なり、紙幣の集積機能のみを有する。また、収納専用カセット３５は、紙幣処理装置１０に対して着脱可能な構造になっており、個別に交換することで紙幣の回収が可能である。
【００３０】
なお、上述したように収納専用カセット３５が第１カセットに相当し、紙幣カセット３０Ａ〜３０Ｅが第２カセットに相当するため、収納専用カセット３５が収納するリジェクト紙幣が第１紙幣に相当し、紙幣カセット３０Ａ〜３０Ｅが収納する正常紙幣が第２紙幣に相当する。また、収納専用カセット３５の大きさが紙幣カセット３０Ａ〜３０Ｅの各々の大きさよりも小さく設定されているため、収納専用カセット３５が収納可能な紙幣の収納枚数は、紙幣カセット３０Ａ〜３０Ｅが収納可能な紙幣の収納枚数よりも少ない。
【００３１】
また、紙幣カセット３０Ａ〜３０Ｅ、及び収納専用カセット３５は、紙幣処理装置１０の装置本体から挿抜可能な下部ユニット９０に装着されている。このため、作業者は、下部ユニット９０を引き出した後に、紙幣カセット３０Ａ〜３０Ｅや収納専用カセット３５に収納された紙幣を抜き取る。なお、紙幣カセット３０Ａ〜３０Ｅや収納専用カセット３５は、下部ユニット９０を介さず紙幣処理装置１０に直接着脱可能に設けられていても良い。
【００３２】
表示部４０は、メニュー画面や処理結果画面を表示する。表示部４０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。
【００３３】
また、紙幣処理装置１０は、職員が操作可能な操作部（不図示）を有する。紙幣処理装置１０は、職員が操作部を操作することにより、入金や出金の取引に対応する入金処理や出金処理等を行う。なお、紙幣処理装置１０は、操作部の代わりに、紙幣処理装置１０に接続された受付端末における職員の操作に基づいて、処理を行なっても良い。
【００３４】
（１−２．紙幣処理装置の基本処理）
紙幣処置装置１０は、基本処理として、例えば入金処理、収納処理、出金処理、補充処理、回収処理を行う。以下では、図１を参照しながら処理毎に説明する。
【００３５】
（入金処理）
入金処理は、入金口１２の紙幣を紙幣処理装置１０の内部に集積する処理である。紙幣処理装置１０は、入金処理として、例えば、入金紙幣を一時保留部２２へ退避させた後に一時保留部２２から紙幣カセット３０Ａ〜３０Ｅに集積する通常入金処理と、入金紙幣を一時保留部２２へ退避させないで直接紙幣カセット３０Ａ〜３０Ｅに集積するダイレクト入金処理とを行う。なお、紙幣処理装置１０は、設定により通常入金処理又はダイレクト入金処理を選択することができる。
【００３６】
まず、通常入金処理について説明する。通常入金処理においては、まず、入金口１２に投入された紙幣が一枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、一時保留部２２へ搬送されて集積される。その後、入金金額が確定すると、収納処理に移行する。
【００３７】
一方で、紙幣認識部２０による鑑別結果が異常であった紙幣（リジェクト紙幣）は、第１出金口１４又は第２出金口１５に集積される。第１出金口１４又は第２出金口１５に集積された紙幣は、職員により入金口１２に再投入されることで、紙幣認識部２０による再鑑別が可能である。なお、以下において、紙幣認識部２０により紙幣を鑑別し、鑑別結果に基づき搬送先に紙幣を搬送する処理を計数処理とも呼ぶ。
【００３８】
次に、ダイレクト入金処理について説明する。入金口１２に投入された紙幣は、通常入金処理と同様に、紙幣認識部２０により鑑別される。そして、鑑別結果が正常であった紙幣は、金種に対応する紙幣カセット３０Ａ〜３０Ｅに集積される。一方で、鑑別結果が異常であった紙幣（リジェクト紙幣）は、第１出金口１４又は第２出金口１５に集積される。第１出金口１４又は第２出金口１５に集積された紙幣は、職員により入金口１２に再投入されることで、紙幣認識部２０による再鑑別が可能である。
【００３９】
（収納処理）
ここでは、通常入金処理後の収納処理について説明する。まず、一時保留部２２から紙幣が１枚ずつ分離され、分離された紙幣が紙幣認識部２０に搬送される。次に、紙幣認識部２０による鑑別結果が正常であった紙幣は、金種に対応する紙幣カセット３０Ａ〜３０Ｅに集積される。一方で、汚損券、折れ紙幣、スキュー紙幣などの走行異常紙幣のように、紙幣認識部２０による鑑別結果が異常であった紙幣は、収納専用カセット３５に集積される。
【００４０】
一方で、入金金額の確定前に入金紙幣の返却（キャンセル）が指示されると、返却処理に移行する。返却処理においては、まず、一時保留部２２から紙幣が１枚ずつ分離され、分離された紙幣が紙幣認識部２０に搬送される。そして、紙幣認識部２０による鑑別結果が正常／異常いずれであっても、全ての紙幣を第１出金口１４、又は第２出金口１５へ集積する。
【００４１】
（出金処理）
出金処理は、紙幣カセット３０Ａ〜３０Ｅの紙幣を第１出金口１４又は第２出金口１５に集積する処理である。
【００４２】
出金処理においては、まず、指定された金額に応じて紙幣カセット３０Ａ〜３０Ｅから紙幣が１枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、第１出金口１４又は第２出金口１５に集積される。具体的には、例えば出金する正常紙幣の金種や枚数に応じて、第１出金口１４又は第２出金口１５に選択的に集積（集金）される。一方で、鑑別結果が異常であった紙幣、すなわち、顧客に支払いできない紙幣は、収納専用カセット３５に集積される。
【００４３】
（補充処理）
補充処理は、紙幣処理装置１０に紙幣を補充する処理である。紙幣処理装置１０においては、具体的な補充方法として、入金口補充、カセット交換補充が可能である。
【００４４】
入金口補充は、上述した入金処理における動作と同様である。例えば、入金口１２から繰り出され、紙幣認識部２０による鑑別結果が正常であった紙幣は、一時保留部２２に退避された後、金種に対応する紙幣カセット３０Ａ〜３０Ｅに集積される。一方で、鑑別結果が異常であった紙幣は、第１出金口１４又は第２出金口１５に集積される。
【００４５】
カセット交換補充は、紙幣カセット３０Ａ〜３０Ｅが着脱可能であることを利用するものであり、予め紙幣を装填した紙幣カセットを、既に装着された紙幣カセット３０Ａ〜３０Ｅのいずれかと交換することで、紙幣を補充する。なお、カセット交換補充では、補充した紙幣の金種と枚数をオペレータがマニュアルで登録する必要がある。
【００４６】
（回収処理）
回収処理は、紙幣処理装置１０内の紙幣を回収する処理である。紙幣処理装置１０においては、具体的な回収方法として、出金口回収、カセット交換回収が可能である。
【００４７】
出金口回収は、上述した出金処理における動作と同様である。例えば、回収対象の紙幣カセット３０Ａ〜３０Ｅから繰り出され、紙幣認識部２０による鑑別結果が正常であった紙幣は、第１出金口１４又は第２出金口１５に集積される。一方で、鑑別結果が異常であった紙幣は、収納専用カセット３５に集積される。そして、回収対象の紙幣カセット３０Ａ〜３０Ｅに集積された全紙幣に対して行い、職員は、第１出金口１４又は第２出金口１５から、正常判定された紙幣を回収することができる。また、職員は、収納専用カセット３５から異常判定された紙幣を回収することができる。
【００４８】
カセット交換回収は、紙幣カセット３０Ａ〜３０Ｅのうちの所定の紙幣カセットを紙幣処理装置１０から取り外すことで、紙幣の回収を行う。なお、カセット交換回収では、オペレータが、取り外した紙幣カセット３０Ａ〜３０Ｅから紙幣を抜き取り、回収した紙幣の金種と枚数をマニュアルで数える必要がある。
【００４９】
（１−３．収納処理における紙幣の搬送について）
ところで、一時保留部２２に集積された紙幣（リジェクト紙幣と正常紙幣）を紙幣カセット３０Ａ〜３０Ｅ又は収納専用カセット３５に搬送して収納する収納処理を行う際に、一のカセットに収納された紙幣の枚数が設定枚数に達する（すなわちＦｕｌｌ）ことがある。例えば、一時保留部２２から収納専用カセット３５へ搬送されてきたリジェクト紙幣の枚数が、設定枚数に達することがある。
【００５０】
そして、従来においては、収納専用カセット３５がリジェクト紙幣でＦｕｌｌになると、紙幣カセット３０Ａ〜３０Ｅが正常紙幣を更に収納できる状態であっても、収納処理が強制的に停止される。かかる場合に、収納処理を再開させるためには、収納専用カセット３５を交換等して設定枚数に達したリジェクト紙幣を抜き取る必要があった。この結果、収納処理の際に紙幣カセット３０Ａ〜３０Ｅへの紙幣の搬送を効率的に行えない問題が発生する。
【００５１】
上記の問題を解決すべく、第１の実施形態に係る紙幣処理装置１０は、詳細は後述するが、一時保留部２２に集積されたリジェクト紙幣（第１紙幣）の枚数が、収納専用カセット３５が収納可能な枚数以下である場合には、リジェクト紙幣が搬送されて収納専用カセット３５がリジェクト紙幣を設定枚数だけ収納しても、正常紙幣（第２紙幣）の紙幣カセット３０Ａ〜３０Ｅへの搬送を継続させる。これにより、収納専用カセット３５に収納されたリジェクト紙幣の枚数が設定枚数に達しても（収納専用カセット３５がリジェクト紙幣でＦｕｌｌになっても）、その後の紙幣の搬送が停止されないため、紙幣カセット３０Ａ〜３０Ｅが正常紙幣を更に収納できる。この結果、収納専用カセット３５及び紙幣カセット３０Ａ〜３０Ｅへの紙幣の搬送を効率的に行うことが可能となる。
【００５２】
（１−４．紙幣処理装置の機能構成例）
図２を参照しながら、第１の実施形態に係る紙幣処理装置１０の機能構成例について説明する。
【００５３】
図２は、第１の実施形態に係る紙幣処理装置１０の機能構成例を説明するためのブロック図である。紙幣処理装置１０は、図２に示すように、前述した紙幣認識部２０、一時保留部２２、搬送部２４、紙幣カセット３０Ａ〜３０Ｅ、及び収納専用カセット３５に加えて、制御部７０と記憶部８０を備える。
【００５４】
制御部７０は、紙幣処理装置１０の動作全般を制御する。具体的には、制御部７０は、上述した入金処理、収納処理、出金処理、補充処理、回収処理等の基本処理を制御する。また、制御部７０は、図３に示すように、枚数判定部７２と、収納判定部７４と、搬送制御部７６とを有する。
【００５５】
枚数判定部７２は、一時保留部２２に集積された紙幣の枚数を判定する。特に、枚数判定部７２は、一時保留部２２に集積されたリジェクト紙幣（収納専用カセット３５に収納される第１紙幣）の枚数を判定する。枚数判定部７２は、判定結果を搬送制御部７６に出力する。
【００５６】
収納判定部７４は、紙幣カセット３０Ａ〜３０Ｅと収納専用カセット３５に収納された紙幣の収納状態を判定する。例えば、収納判定部７４は、収納専用カセット３５におけるリジェクト紙幣の収納状態（例えば、実際に収納されているリジェクト紙幣の枚数）を判定する。また、収納判定部７４は、判定した収納状態に基づいて、収納専用カセット３５トが収納可能なリジェクト紙幣の残枚数を判定する。これにより、一時保留部２２から収納専用カセット３５へ搬送可能なリジェクト紙幣の枚数を検出できる。収納判定部７４は、判定結果を搬送制御部７６に出力する。
【００５７】
搬送制御部７６は、搬送部２４による紙幣の搬送を制御する。例えば、搬送制御部７６は、入金紙幣の収納処理として、一時保留部２２に集積されたリジェクト紙幣と正常紙幣を、収納専用カセット３５と紙幣カセット３０Ａ〜３０Ｅへ搬送させる。すなわち、搬送制御部７６は、リジェクト紙幣を収納専用カセット３５に搬送させ、正常紙幣を対応する金種の紙幣カセット３０Ａ〜３０Ｅに搬送させる。
【００５８】
搬送制御部７６は、一時保留部２２に集積されたリジェクト紙幣の枚数が、収納専用カセット３５が収納可能な枚数以下である場合には、リジェクト紙幣が搬送されて収納専用カセット３５がリジェクト紙幣を設定枚数だけ収納しても、正常紙幣の紙幣カセット３０Ａ〜３０Ｅへの搬送を継続させる。これにより、収納専用カセット３５がリジェクト紙幣で満杯になっても、その後の紙幣の搬送が停止されないため、紙幣カセット３０Ａ〜３０Ｅが正常紙幣を更に収納できる。
【００５９】
ここで、搬送制御部７６は、一時保留部２２に集積されたリジェクト紙幣の枚数と、収納専用カセット３５が収納可能なリジェクト紙幣の残枚数との和が、収納専用カセット３５が収納可能な設定枚数以下であるか否かを判定する。これにより、枚数判定部７２と収納判定部７４による判定結果を用いて、一時保留部２２に集積されたリジェクト紙幣の枚数が、収納専用カセット３５が収納可能な枚数以下であるか否かを、簡易かつ正確に判定できる。
【００６０】
搬送制御部７６は、一時保留部２２に集積されたリジェクト紙幣の枚数が、収納専用カセット３５が収納可能な枚数を超える場合には、リジェクト紙幣が搬送されて収納専用カセット３５がリジェクト紙幣を設定枚数だけ収納すると、リジェクト紙幣と正常紙幣の搬送を停止させる。これにより、収納専用カセット３５が収納できないリジェクト紙幣が一時保留部２２から搬送されて、搬送部２４においてジャムが発生することを防止できる。
【００６１】
搬送制御部７６は、リジェクト紙幣と正常紙幣の搬送停止後に、リジェクト紙幣を設定枚数収納する収納専用カセット３５が交換された場合には、紙幣（リジェクト紙幣と正常紙幣）の搬送を再開させる。これにより、一時保留部２２から搬送されずに残っていた紙幣を、紙幣カセット３０Ａ〜３０Ｅと収納専用カセット３５に搬送できる。
【００６２】
記憶部８０は、紙幣処理装置１０が動作するためのプログラム等を記憶する。また、記憶部８０は、紙幣認識部２０の鑑別結果（例えば、入金口１２から一時保留部２２へ搬送された紙幣に対する鑑別結果）を記憶しうる。
【００６３】
なお、上述した制御部７０、および記憶部８０の機能は、ＣＰＵ（Ｃｅｎｔｒａｌ Ｐｒｏｃｅｓｓｉｎｇ Ｕｎｉｔ）、ＲＯＭ（Ｒｅａｄ
Ｏｎｌｙ Ｍｅｍｏｒｙ）、およびＲＡＭ（Ｒａｎｄｏｍ
Ａｃｃｅｓｓ Ｍｅｍｏｒｙ）等から成るハードウェア構成により実現してもよい。ＣＰＵは、演算機能および制御機能を有し、各種プログラムに従って紙幣処理装置１０の動作全般を制御する。ＲＯＭは、ＣＰＵが使用するプログラムや演算パラメータ等を記憶する。ＲＡＭは、ＣＰＵの実行において使用するプログラムや、その実行において適宜変化するパラメータ等を一時記憶する。
【００６４】
（１−５．収納処理時の紙幣の搬送制御例）
図３及び図４を参照しながら、第１の実施形態に係る収納処理時における紙幣の搬送制御例について説明する。図３は、第１の実施形態に係る紙幣処理装置１０の動作例を示すフローチャートである。
【００６５】
収納処理時における紙幣の搬送制御は、例えば制御部７０のＣＰＵが、ＲＯＭに記憶されているプログラムを実行することにより、実現される。なお、実行されるプログラムは、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、メモリカード等の記録媒体に記憶されても良く、インターネットを介してサーバ等からダウンロードされても良い。
【００６６】
図３のフローチャートは、制御部７０が一時保留部２２に紙幣（リジェクト紙幣と正常紙幣）を搬送させるところから始まる（ステップＳ１０２）。例えば、制御部７０は、入金口１２に投入された紙幣を一時保留部２２に搬送させる（入金処理）。ここで、一時保留部２２に搬送される紙幣は、紙幣認識部２０により鑑別が行なわれる。そして、鑑別結果は、記憶部８０に記憶される。
【００６７】
次に、制御部７０は、記憶部８０に記憶された鑑別結果に基づいて、一時保留部２２に集積された紙幣のうち収納専用カセット３５に搬送されるリジェクト紙幣の枚数を判定する（ステップＳ１０４）。
【００６８】
次に、制御部７０は、収納専用カセット３５におけるリジェクト紙幣の収納状態（具体的には、リジェクト紙幣の収納枚数）を判定する（ステップＳ１０６）。ここで、制御部７０は、記憶部８０において記憶されている鑑別結果に基づいて収納専用カセット３５にそれまで搬送されたリジェクト紙幣の枚数を推定できるので、収納専用カセット３５に実際に収納されているリジェクト紙幣の収納枚数を把握できる。
【００６９】
次に、制御部７０は、一時保留部２２に集積された正常紙幣を紙幣カセット３０Ａ〜３０Ｅに搬送すると共に、リジェクト紙幣を収納専用カセット３５に搬送する収納処理を実行する（ステップＳ１０８）。そして、制御部７０は、収納処理として、図４に示す処理を実行する。
【００７０】
図４は、第１の実施形態に係る収納処理時における紙幣の搬送制御例を示すフローチャートである。まず、制御部７０は、一時保留部２２に集積されたリジェクト紙幣の枚数が、収納専用カセット３５が収納可能な枚数より大きいか否かを判定する（ステップＳ１１２）。具体的には、制御部７０は、一時保留部２２に集積されたリジェクト紙幣の枚数と、収納専用カセット３５が収納可能なリジェクト紙幣の残枚数との和が、収納専用カセット３５が収納可能な設定枚数より大きいか否かを判定する。なお、ステップＳ１１２の判定の際（又は判定の開始前）に、一時保留部２２の紙幣の紙幣カセット３０Ａ〜３０Ｅと収納専用カセット３５への搬送が開始されている。
【００７１】
そして、ステップＳ１１２で、一時保留部２２に集積されたリジェクト紙幣の枚数が、収納専用カセット３５が収納可能な枚数より大きいと判定された場合には（Ｙｅｓ）、制御部７０は、一時保留部２２から紙幣カセット３０Ａ〜３０Ｅと収納専用カセット３５への紙幣の搬送中に、収納処理の停止要因が発生したか否かを判定する（ステップＳ１１４）。ここで、収納処理の停止要因は、リジェクト紙幣が収納専用カセット３５に搬送されて満杯になった場合である。
【００７２】
ステップＳ１１４で収納処理の停止要因が発生した場合には（Ｙｅｓ）、制御部７０は、収納処理を強制的に停止させる（ステップＳ１１６）。その後、作業者が、紙幣処理装置１０の下部ユニット９０を引き出して収納専用カセット３５のリジェクト紙幣を抜き取った後に、下部ユニット９０を再度装着したものとする（ステップＳ１１８、Ｓ１２０、Ｓ１２２）。すると、制御部７０は、一時保留部２２から紙幣カセット３０Ａ〜３０Ｅと収納専用カセット３５への紙幣の搬送を再開させる（ステップＳ１２４）。その後、一時保留部２２に集積された全ての紙幣が、紙幣カセット３０Ａ〜３０Ｅと収納専用カセット３５に搬送されると、収納処理が終了する。
【００７３】
一方、ステップＳ１１２で、一時保留部２２に集積されたリジェクト紙幣の枚数が、収納専用カセット３５が収納可能な枚数以下であると判定された場合には（Ｎｏ）、制御部７０は、一時保留部２２から紙幣カセット３０Ａ〜３０Ｅと収納専用カセット３５への紙幣の搬送を継続する。特に、第１の実施形態においては、制御部７０は、一時保留部２２に集積された全てのリジェクト紙幣が搬送されて収納専用カセット３５がリジェクト紙幣を設定枚数だけ収納（Ｆｕｌｌ）しても、正常紙幣の紙幣カセット３０Ａ〜３０Ｅへの搬送を継続させる。その後、一時保留部２２に集積された全ての正常紙幣が、紙幣カセット３０Ａ〜３０Ｅに搬送されると、収納処理が終了する。
【００７４】
（１−６．第１の実施形態の有効性）
上述したように、紙幣処理装置１０は、一時保留部２２に集積されたリジェクト紙幣の枚数が収納専用カセット３５が収納可能な枚数以下である場合には、リジェクト紙幣が搬送されて収納専用カセット３５がリジェクト紙幣を設定枚数だけ収納しても、正常紙幣の紙幣カセット３０Ａ〜３０Ｅへの搬送を継続させる。かかる場合には、紙幣カセット３０Ａ〜３０Ｅ及び収納専用カセット３５への紙幣の搬送を効率的に行うことが可能となる。以下において、図５に示す比較例と対比しながら、詳細に説明する。
【００７５】
図５は、比較例に係る収納処理時における紙幣の搬送制御例を示すフローチャートである。図５に示す比較例に係るフローチャートと、図４に示す第１の実施形態に係るフローチャートとを対比すると分かるように、比較例においては図４に示すステップＳ１１２の判定処理が無い。一方で、図５に示すステップＳ９１４〜Ｓ９２４の処理は、図４に示すステップＳ１１４〜Ｓ１２４の処理と同じである。このため、比較例の場合には、収納専用カセット３５がリジェクト紙幣で満杯になると、紙幣カセット３０Ａ〜３０Ｅが正常紙幣を更に収納できる状態であっても、紙幣カセット３０Ａ〜３０Ｅに紙幣が搬送されずに収納処理が強制的に停止してしまう。
【００７６】
これに対して、第１の実施形態の場合には、一時保留部２２に集積されたリジェクト紙幣の枚数が収納専用カセット３５が収納可能な枚数と同じ場合には、収納処理中に収納専用カセット３５がリジェクト紙幣で満杯になっても、比較例とは異なり収納処理を停止させずに、紙幣カセット３０Ａ〜３０Ｅへの正常紙幣の搬送を継続して行う。このため、収納専用カセット３５を交換しなくても、紙幣カセット３０Ａ〜３０Ｅに正常紙幣を搬送でき、収納処理の処理時間を低減できる。
【００７７】
なお、上記では、収納処理中に収納専用カセット３５がリジェクト紙幣で満杯になっても、紙幣カセット３０Ａ〜３０Ｅへの正常紙幣の搬送を継続して行うこととしたが、これに限定されない。例えば、収納処理中に一の紙幣カセット（例えば紙幣カセット３０Ａ）が正常紙幣で満杯になっても、他の紙幣カセット（紙幣カセット３０Ｂ〜３０Ｅ）や収納専用カセット３５への紙幣の搬送を継続して行うこととしても良い。
【００７８】
また、上記では、入金口１２に投入されて一時保留部２２に一時的に集積された紙幣を、紙幣カセット３０Ａ〜３０Ｅと収納専用カセット３５に搬送する収納処理において、上述した紙幣の搬送制御が適用されたが、これに限定されない。例えば、一の紙幣カセット（例えば紙幣カセット３０Ａ）から繰り出されて一時保留部２２に一時的に集積された紙幣を、他の紙幣カセット（例えば紙幣カセット３０Ｂ）と収納専用カセット３５に搬送する収納処理において、上述した紙幣の搬送制御が適用されても良い。
【００７９】
＜２．第２の実施形態＞
次に、第２の実施形態に係る紙幣処理装置１０の構成例について説明する。
【００８０】
上述した第１の実施形態では、一時保留部２２に集積されたリジェクト紙幣の枚数が、収納専用カセット３５が収納可能な枚数を超える場合には、リジェクト紙幣が搬送されて収納専用カセット３５がリジェクト紙幣を設定枚数だけ収納すると、リジェクト紙幣と正常紙幣の搬送を停止する。
【００８１】
これに対して、第２の実施形態では、制御部７０の搬送制御部７６（図２）は、一時保留部２２に集積されたリジェクト紙幣の枚数が、収納専用カセット３５が収納可能な枚数（Ｆｕｌｌ枚数）を超えても、収納専用カセット３５が物理的に収納可能な最大収納枚数以下である場合には、収納専用カセット３５が一時保留部２２のリジェクト紙幣を全て収納しても、正常紙幣の紙幣カセット３０Ａ〜３０Ｅへの搬送を継続させる。これにより、収納専用カセット３５が物理的に収納可能な枚数だけリジェクト紙幣を収納しても、その後の紙幣の搬送が停止されないため、紙幣カセット３０Ａ〜３０Ｅが正常紙幣を更に収納できる。
【００８２】
収納専用カセット３５に収納された紙幣の収納枚数を検知する方法としては、様々な方法が考えられるが、第２の実施形態では、収納専用カセット３５に収納された紙幣の枚数を検知するための紙幣検知センサーが設けられている。
【００８３】
図６は、第２の実施形態に係る収納専用カセット３５に設けられた紙幣検知センサーの構成例を示す模式図である。図６に示すように、収納専用カセット３５には、第１紙幣検知センサー３６と、第２紙幣検知センサー３７が設けられている。第１紙幣検知センサー３６は、収納専用カセット３５に収納された紙幣の枚数が、予め設定された設定枚数に達したか否かを検知する。第２紙幣検知センサー３７は、収納専用カセット３５に収納された紙幣の枚数が、収納専用カセット３５が物理的に収納可能な最大収納枚数に達したか否かを検知する。ここで、収納専用カセット３５の最大収納枚数が５００枚である場合には、設定枚数は例えば４００枚であるものとする。
【００８４】
そして、第２の実施形態では、第１紙幣検知センサー３６が紙幣を検知しても、第２紙幣検知センサー３７が紙幣を検知しない場合には、搬送制御部７６は、収納専用カセット３５が一時保留部２２のリジェクト紙幣を全て収納しても、正常紙幣の紙幣カセット３０Ａ〜３０Ｅへの搬送を継続させる。
【００８５】
搬送制御部７６は、一時保留部２２に集積されたリジェクト紙幣の枚数が、収納専用カセット３５が物理的に収納可能な最大収納枚数を超える場合には、リジェクト紙幣が搬送されて収納専用カセット３５がリジェクト紙幣を最大収納枚数だけ収納すると、リジェクト紙幣と正常紙幣の搬送を停止させる。すなわち、搬送制御部７６は、第２紙幣検知センサー３７が紙幣を検知すると、リジェクト紙幣と正常紙幣の搬送を停止させる。これにより、収納専用カセット３５が収納できないリジェクト紙幣が搬送されて、搬送部２４においてジャムが発生することを防止できる。
【００８６】
なお、上記では、紙幣検知センサーにより収納専用カセット３５が物理的に収納可能な最大収納枚数を検知することとしたが、これに限定されない。例えば、紙幣検知センサーを用いずに、一時保留部２２から収納専用カセット３５に搬送されたリジェクト紙幣の枚数から、収納専用カセット３５が物理的に収納可能な枚数に達したか否かを検知しても良い。
【００８７】
次に、図７を参照しながら、第２の実施形態に係る収納処理時における紙幣の搬送制御例について説明する。図７は、第２の実施形態に係る収納処理時における紙幣の搬送制御例を示すフローチャートである。
【００８８】
図７のフローチャートは、図４に示すフローチャートに対して、ステップＳ１１２とステップＳ１１４の間に、ステップＳ１５２の処理が行なわれる。すなわち、ステップＳ１１２で、一時保留部２２に集積されたリジェクト紙幣の枚数が、収納専用カセット３５が収納可能な枚数より大きいと判定された場合には（Ｙｅｓ）、制御部７０は、一時保留部２２に集積されたリジェクト紙幣の枚数が、収納専用カセット３５が物理的に収納可能な最大収納枚数を超えるか否かを判定する（ステップＳ１５２）。
【００８９】
そして、ステップＳ１５２で、一時保留部２２に集積されたリジェクト紙幣の枚数が、収納専用カセット３５が物理的に収納可能な最大収納枚数を超えると判定された場合には（Ｙｅｓ）、制御部７０は、ステップＳ１１４以後の処理を行う。
【００９０】
一方で、ステップＳ１５２で、一時保留部２２に集積されたリジェクト紙幣の枚数が、収納専用カセット３５が物理的に収納可能な最大収納枚数以下であると判定された場合には（Ｎｏ）、制御部７０は、一時保留部２２から紙幣カセット３０Ａ〜３０Ｅと収納専用カセット３５への紙幣の搬送を継続する。
【００９１】
また、第２の実施形態でも、ステップＳ１１２で、一時保留部２２に集積されたリジェクト紙幣の枚数が、収納専用カセット３５が収納可能な枚数以下であると判定された場合には（Ｎｏ）、制御部７０は、一時保留部２２から紙幣カセット３０Ａ〜３０Ｅと収納専用カセット３５への紙幣の搬送を継続する。
【００９２】
上述した第２の実施形態に係る搬送制御例によれば、収納専用カセット３５が物理的に収納可能な枚数だけリジェクト紙幣を収納しても、その後の紙幣の搬送が停止されないため、紙幣カセット３０Ａ〜３０Ｅが正常紙幣を更に収納できる。この結果、収納専用カセット３５及び紙幣カセット３０Ａ〜３０Ｅへの紙幣の搬送を効率的に行うことが可能となる。
【００９３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９４】
また、上述した紙幣処理装置１０の処理における各ステップは、必ずしもフローチャートとして記載された順序に沿って時系列に処理する必要はない。例えば、紙幣処理装置１０の処理における各ステップは、フローチャートとして記載した順序と異なる順序で処理されても、並列的に処理されてもよい。
【００９５】
また、紙幣処理装置１０に内蔵されるＣＰＵ、ＲＯＭおよびＲＡＭなどのハードウェアを、上述した紙幣処理装置１０の各構成と同等の機能を発揮させるためのコンピュータプログラムも作成可能である。
【００９６】
また、上述した実施形態では、紙幣処理装置１０を職員操作型端末に適用して説明したが、これに限定されない。例えば、顧客操作型端末であって、紙幣を還流させる（リサイクルさせる）タイプのＡＴＭ（Ａｕｔｏｍａｔｅｄ  ｔｅｌｌｅｒ  ｍａｃｈｉｎｅ）に代表される自動取引装置の現金処理部に適用してもよい。自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【符号の説明】
【００９７】
１０    紙幣処理装置
１２    入金口
２０    紙幣認識部
２２    一時保留部
２４    搬送部
３０Ａ〜３０Ｅ    紙幣カセット
３５    収納専用カセット
７０    制御部
７２    枚数判定部
７４    収納判定部
７６    搬送制御部
８０    記憶部
【図１】
2014235458.tif 000003
【図２】
2014235458.tif 000004
【図３】
2014235458.tif 000005
【図４】
2014235458.tif 000006
【図５】
2014235458.tif 000007
【図６】
2014235458.tif 000008
【図７】
2014235458.tif 000009
【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
第１紙幣と第２紙幣を一時的に集積する一時集積部と、
前記第１紙幣を設定枚数収納する第１カセットと、
前記第２紙幣を設定枚数収納する第２カセットと、
前記一時集積部に集積された前記第１紙幣と前記第２紙幣を、前記第１カセットと前記第２カセットへ搬送する搬送部と、
前記一時集積部に集積された前記第１紙幣の枚数を判定する枚数判定部と、
前記第１カセットにおける前記第１紙幣の収納状態を判定する収納判定部と、
前記一時集積部に集積された前記第１紙幣の枚数が、前記第１カセットが収納可能な枚数以下である場合には、前記第１紙幣が搬送されて前記第１カセットが前記第１紙幣を設定枚数だけ収納しても、前記第２紙幣の前記第２カセットへの搬送を継続させる搬送制御部と、
を備える、現金処理装置。
【請求項２】
請求項１に記載の現金処理装置において、
前記一時集積部に集積される紙幣を鑑別する紙幣鑑別部を更に備え、
前記第１紙幣は、前記紙幣鑑別部によりリジェクト紙幣と鑑別された紙幣である、現金処理装置。
【請求項３】
請求項１又は２に記載の現金処理装置において、
紙幣が投入される入金部を更に備え、
前記一時集積部は、前記入金部から搬送された第１紙幣と第２紙幣を集積し、
前記搬送制御部は、入金紙幣の収納処理として、前記一時集積部に集積された前記第１紙幣と前記第２紙幣を、前記第１カセットと前記第２カセットへ搬送させる、現金処理装置。
【請求項４】
請求項１〜３のいずれか１項に記載の現金処理装置において、
前記収納判定部は、判定した収納状態に基づいて、前記第１カセットが収納可能な前記第１紙幣の残枚数を判定し、
前記搬送制御部は、
前記一時集積部に集積された前記第１紙幣の枚数と、前記第１カセットに収納されている前記第１紙幣の枚数との和が、前記第１カセットが収納可能な設定枚数以下である場合には、前記第１紙幣が搬送されて前記第１カセットが前記第１紙幣を設定枚数だけ収納しても、前記第２紙幣の前記第２カセットへの搬送を継続させる、現金処理装置。
【請求項５】
請求項１〜４のいずれか１項に記載の現金処理装置において、
前記搬送制御部は、
前記一時集積部に集積された前記第１紙幣の枚数が、前記第１カセットが収納可能な枚数を超える場合には、前記第１紙幣が搬送されて前記第１カセットが前記第１紙幣を設定枚数だけ収納すると、前記第１紙幣と前記第２紙幣の搬送を停止させる、現金処理装置。
【請求項６】
請求項１〜４のいずれか１項に記載の現金処理装置において、
前記搬送制御部は、
前記一時集積部に集積された前記第１紙幣の枚数が、前記第１カセットが収納可能な枚数を超えても、前記第１カセットが物理的に収納可能な最大収納枚数以下である場合には、前記第１カセットが前記一時集積部の前記第１紙幣を全て収納しても、前記第２紙幣の前記第２カセットへの搬送を継続させる、現金処理装置。
【請求項７】
請求項６に記載の現金処理装置において、
前記搬送制御部は、
前記一時集積部に集積された前記第１紙幣の枚数が、前記第１カセットが物理的に収納可能な最大収納枚数を超える場合には、前記第１紙幣が搬送されて前記第１カセットが前記第１紙幣を前記最大収納枚数だけ収納すると、前記第１紙幣と前記第２紙幣の搬送を停止させる、現金処理装置。
【請求項８】
請求項５又は７に記載の現金処理装置において、
前記搬送制御部は、
前記第１紙幣と前記第２紙幣の搬送停止後に、前記第１紙幣を設定枚数又は最大収納枚数だけ収納する前記第１カセットから前記第１紙幣が抜き取られた場合には、前記第１紙幣と前記第２紙幣の搬送を再開させる、現金処理装置。
【手続補正２】
【補正対象書類名】明細書
【補正対象項目名】００７０
【補正方法】変更
【補正の内容】
【００７０】
図４は、第１の実施形態に係る収納処理時における紙幣の搬送制御例を示すフローチャートである。まず、制御部７０は、一時保留部２２に集積されたリジェクト紙幣の枚数が、収納専用カセット３５が収納可能な枚数より大きいか否かを判定する（ステップＳ１１２）。具体的には、制御部７０は、一時保留部２２に集積されたリジェクト紙幣の枚数と、収納専用カセット３５に収納されているリジェクト紙幣の枚数との和が、収納専用カセット３５が収納可能な設定枚数より大きいか否かを判定する。なお、ステップＳ１１２の判定の際（又は判定の開始前）に、一時保留部２２の紙幣の紙幣カセット３０Ａ〜３０Ｅと収納専用カセット３５への搬送が開始されている。
【手続補正３】
【補正対象書類名】図面
【補正対象項目名】図４
【補正方法】変更
【補正の内容】
【図４】
2014235458.tif 000010